(57)【特許請求の範囲】
【請求項１】
それぞれ幅方向の最外側に配置される１対のガイドリンクプレートと、前記１対のガイドリンクプレートの幅方向の内側に配置される少なくとも１つのインナーリンクプレートを備え、
前記ガイドリンクプレートおよびインナーリンクプレートが前後１対の第１ピン孔および第２ピン孔を有し、
前記ガイドリンクプレートおよびインナーリンクプレートの第１ピン孔と第２ピン孔にそれぞれ連結ピンが挿通されることにより交互に連結編成されたチェーンであって、
前記ガイドリンクプレートおよびインナーリンクプレートのそれぞれの第１ピン孔が、前記連結ピンと密に嵌合し、
前記ガイドリンクプレートおよびインナーリンクプレートのそれぞれの第２ピン孔が、前記連結ピンと遊嵌するように構成され、
幅方向の一方の最外側に配置される第１ガイドリンクプレートが、前後方向に同一位置に配置された第１インナーリンクプレートとともに第１リンク列を形成し、
幅方向の他方の最外側に配置される第２ガイドリンクプレートが、前後方向に同一位置に配置された第２インナーリンクプレートとともに第２リンク列を形成し、
前記第１リンク列と第２リンク列の各リンクプレートが、連結ピンが挿通されることにより交互に連結編成されていることを特徴とするチェーン。
【請求項２】
前記第１リンク列および第２リンク列の一方または両方が、前記ガイドリンクプレートとインナーリンクプレートの間に配列された少なくとも１つ以上の前後１対の第１ピン孔および第２ピン孔を有した中間リンクプレートを備え、
該中間リンクプレートの両方のピン孔が、前記連結ピンと遊嵌するように構成されていることを特徴とする請求項１に記載のチェーン。
【請求項３】
前記第１インナーリンクプレート、第２インナーリンクプレートおよび中間リンクプレートが、スプロケットに噛み合う歯を有することを特徴とする請求項１または請求項２のいずれかに記載のチェーン。
【請求項４】
前記ガイドリンクプレートが、スプロケットに噛み合う歯を有することを特徴とする請求項１乃至請求項３のいずれかに記載のチェーン。
【発明の詳細な説明】
【技術分野】
【０００１】
本発明は、多数のリンクプレートを連結ピンにより連結しかつ最外側にガイドリンクプレートを配置してなるチェーンに関するものである。
【背景技術】
【０００２】
従来、例えば、動力伝達用チェーンとして用いられるサイレントチェーンにおいて、幅方向の両外側に配置される１対のガイドリンクプレートと、１対のガイドリンクプレートの幅方向の内側に配置される少なくとも１つのインナーリンクプレートを備え、ガイドリンクプレートおよびインナーリンクプレートが前後１対のピン孔を有し、ガイドリンクプレートのピン孔と前記インナーリンクプレートのピン孔にそれぞれ連結ピンが挿通されることにより交互に連結編成されたチェーンが公知である。
【０００３】
公知のチェーン５００は、図５に示すように、ガイドリンク列５０１の幅方向の両外側に１対のガイドリンクプレート５１０を備え、ガイドリンク列５０１の１対のガイドリンクプレート５１０間に中間リンクプレート５２０を備え、非ガイドリンク列５０２にはインナーリンクプレート５３０を備えている。
【０００４】
ガイドリンクプレート５１０、中間リンクプレート５２０およびインナーリンクプレート５３０には、それぞれ前後１対の第１ピン孔５１１、５２１、５３１および第２ピン孔５１２、５２２、５３２が設けられている。
【０００５】
ガイドリンク列５０１のガイドリンクプレート５１０および中間リンクプレート５２０の第１ピン孔５１１、５２１と非ガイドリンク列５０２のインナーリンクプレート５３０の第２ピン孔５３２、および、ガイドリンク列５０１のガイドリンクプレート５１０および中間リンクプレート５２０の第２ピン孔５１２、５２２と非ガイドリンク列５０２のインナーリンクプレート５３０の第１ピン孔５３１に、それぞれ連結ピン５４０が挿通されることにより交互に連結編成されて、チェーン５００が構成されている。
【０００６】
連結ピン５４０は、最外側に設けられたガイドリンクプレート５１０の前後１対の第１ピン孔５１１および第２ピン孔５１２に密に嵌合しており、中間リンクプレート５２０およびインナーリンクプレート５３０のそれぞれ前後１対の第１ピン孔５２１、５３１および第２ピン孔５２２、５３２には所定の隙間を有して遊嵌されている。
【０００７】
なお、図５および後述するすべての図面において、各構成部材の形状や寸法、変形量やずれ量等は実寸ではなく、各図面は、発明が明確に支持される範囲内で、より解りやすく説明するために簡略化したり誇張して表現したものである。
また、各図面における各リンクプレートの前後１対のピン孔について、図示左側を第１ピン孔、図示右側を第２ピン孔として説明するが、左右すべて逆でも良い。
【０００８】
この公知のチェーン５００は、連結ピン５４０が最外側に設けられたガイドリンクプレート５１０の前後１対の第１ピン孔５１１および第２ピン孔５１２に密に嵌合しており、中間リンクプレート５２０およびインナーリンクプレート５３０のそれぞれ前後１対の第１ピン孔５２１、５３１および第２ピン孔５２２、５３２には所定の隙間を有して遊嵌されているため、図６に示すように、前後方向（図示の左右方向）から張力Ｆを受けると、連結ピン５４０が湾曲し、ガイドリンクプレート５１０がそれぞれ外方に反ってしまう。
【０００９】
このことで、連結ピン５４０およびガイドリンクプレート５１０に繰り返しの変形によって摩耗伸びや発熱、騒音が増加したり、耐久性が悪化するという問題があった。
また、連結ピン５４０が湾曲することで、中間リンクプレート５２０およびインナーリンクプレート５３０にかかる張力にアンバランスが生じて特定のプレートに張力が集中し、チェーン全体の張力に対する強度が低下するという問題があった。
【００１０】
中間リンクプレートおよびインナーリンクプレートにかかる張力のアンバランスを緩和するため、中間リンクプレートおよびインナーリンクプレートのピン孔の大きさを、配置される幅方向の位置に応じて異なるものとしたチェーンや、中間リンクプレートおよびインナーリンクプレートの前後１対のピン孔のピッチを、配置される幅方向の位置に応じて異なるものとしたチェーンが公知である（特許文献１、特許文献２等参照。）。
【先行技術文献】
【特許文献】
【００１１】
【特許文献１】特開２００９−１７４６０６号公報（全頁、全図）
【特許文献２】特開２００９−１７４６０７号公報（全頁、全図）
【発明の概要】
【発明が解決しようとする課題】
【００１２】
特許文献１、２等に記載された公知のチェーンによれば、上記の中間リンクプレートおよびインナーリンクプレートにかかる張力のアンバランスによる問題はある程度軽減されるものの、連結ピンの湾曲と、ガイドリンクプレートの反り自体は解消されず、依然として繰り返しの変形によって摩耗伸びや発熱、騒音が増加したり、耐久性が悪化するという問題があった。
【００１３】
また、ピン孔の大きさやピッチの異なる中間リンクプレートおよびインナーリンクプレートを用意し、これらを正しい位置に配置する必要があるため、製造、組立コストが増加するという問題があった。
【００１４】
さらに、連結ピンの一定の湾曲を前提として、ピン孔の大きさやピッチが設定されるため、チェーンの張力の変化によって連結ピンの湾曲量が変化すると、依然として中間リンクプレートおよびインナーリンクプレートにかかる張力にアンバランスが生じて特定のプレートに張力が集中し、チェーン全体の張力に対する強度が低下するという問題があった。
【００１５】
また、ガイドリンク列と非ガイド列の各リンクプレートを１枚ずつ交互に配置したとき非ガイド列がガイドリンク列より１枚少ない枚数となり、ガイドリンク列と非ガイド列の張力に対する強度のアンバランスが生じるため、幅が小さく幅方向の総枚数が少ないチェーンを構成することが困難であるという問題があった。
【００１６】
本発明の課題は、前述したような従来技術の問題を解決するものであって、すなわち、本発明の目的は、製造、組立コストを抑制し、幅方向の総枚数が少ないチェーンを構成することが可能であり、連結ピンやガイドリンクプレートの繰り返しの変形による摩耗伸びや発熱、騒音を抑制し、耐久性を向上するとともに、特定のプレートに張力が集中せず、チェーン全体の張力に対する強度を向上するチェーンを提供することである。
【課題を解決するための手段】
【００１７】
本請求項１に係る発明は、それぞれ幅方向の最外側に配置される１対のガイドリンクプレートと、前記１対のガイドリンクプレートの幅方向の内側に配置される少なくとも１つのインナーリンクプレートを備え、前記ガイドリンクプレートおよびインナーリンクプレートが前後１対の第１ピン孔および第２ピン孔を有し、前記ガイドリンクプレートおよびインナーリンクプレートの第１ピン孔と第２ピン孔にそれぞれ連結ピンが挿通されることにより交互に連結編成されたチェーンであって、前記ガイドリンクプレートおよびインナーリンクプレートのそれぞれの第１ピン孔が、前記連結ピンと密に嵌合し、前記ガイドリンクプレートおよびインナーリンクプレートのそれぞれの第２ピン孔が、前記連結ピンと遊嵌するように構成され、幅方向の一方の最外側に配置される第１ガイドリンクプレートが、前後方向に同一位置に配置された第１インナーリンクプレートとともに第１リンク列を形成し、幅方向の他方の最外側に配置される第２ガイドリンクプレートが、前後方向に同一位置に配置された第２インナーリンクプレートとともに第２リンク列を形成し、前記第１リンク列と第２リンク列の各リンクプレートが、連結ピンが挿通されることにより交互に連結編成されていることにより、前記課題を解決するものである。
【００１８】
本請求項２に係る発明は、請求項１に記載されたチェーンの構成に加えて、前記第１リンク列および第２リンク列の一方または両方が、前記ガイドリンクプレートとインナーリンクプレートの間に配列された少なくとも１つ以上の前後１対の第１ピン孔および第２ピン孔を有した中間リンクプレートを備え、該中間リンクプレートの両方のピン孔が、前記連結ピンと遊嵌するように構成されていることにより、前記課題をさらに解決するものである。
【００１９】
本請求項３に係る発明は、請求項１または請求項２に記載されたチェーンの構成に加えて、前記第１インナーリンクプレート、第２インナーリンクプレートおよび中間リンクプレートが、スプロケットに噛み合う歯を有することにより、前記課題をさらに解決するものである。
【００２０】
本請求項４に係る発明は、請求項１乃至請求項３のいずれかに記載されたチェーンの構成に加えて、前記ガイドリンクプレートが、スプロケットに噛み合う歯を有することにより、前記課題をさらに解決するものである。
【発明の効果】
【００２１】
本請求項１に係る発明のチェーンは、それぞれ幅方向の最外側に配置される１対のガイドリンクプレートと、１対のガイドリンクプレートの幅方向の内側に配置される少なくとも１つのインナーリンクプレートを備え、ガイドリンクプレートおよびインナーリンクプレートが前後１対の第１ピン孔および第２ピン孔を有し、ガイドリンクプレートおよびインナーリンクプレートの第１ピン孔と第２ピン孔にそれぞれ連結ピンが挿通されることにより交互に連結編成されたチェーンであって、ガイドリンクプレートおよびインナーリンクプレートのそれぞれの第１ピン孔が、連結ピンと密に嵌合し、ガイドリンクプレートおよびインナーリンクプレートのそれぞれの第２ピン孔が、連結ピンと遊嵌するように構成されていることにより、チェーンに張力がかかった際にガイドリンクプレートが反ることがなく、ガイドリンクプレートの繰り返しの変形による摩耗伸びや発熱、騒音を抑制し、耐久性を向上することができる。
【００２２】
また、連結ピンとリンクプレートのピン孔の関係が、張力方向においてすべて同一条件で密に嵌合し、遊嵌するように構成されているため、幅方向に均等に力が分散されて連結ピンの湾曲が抑制され、繰り返しの変形による摩耗伸びや発熱、騒音を抑制し、耐久性を向上することができる。
さらに、連結ピンの湾曲が抑制されることで、特定のプレートに張力が集中せず、チェーン全体の張力に対する強度を向上することができる。
【００２３】
また、幅方向の一方の最外側に配置される第１ガイドリンクプレートが、前後方向に同一位置に配置された第１インナーリンクプレートとともに第１リンク列を形成し、幅方向の他方の最外側に配置される第２ガイドリンクプレートが、前後方向に同一位置に配置された第２インナーリンクプレートとともに第２リンク列を形成し、第１リンク列と第２リンク列の各リンクプレートが、連結ピンが挿通されることにより交互に連結編成されていることにより、すべてのリンク列で各リンクプレートを同一の枚数とすることができるため、幅が小さく幅方向の総枚数が少ないチェーンであっても、張力に対する強度のアンバランスが生じることがない。
【００２４】
本請求項２に記載の構成によれば、第１リンク列および第２リンク列の一方または両方が、前記ガイドリンクプレートとインナーリンクプレートの間に配列された少なくとも１つ以上の前後１対の第１ピン孔および第２ピン孔を有した中間リンクプレートを備え、該中間リンクプレートの両方のピン孔が、前記連結ピンと遊嵌するように構成されていることにより、連結ピンと密に嵌合すべきピン孔を減らすことができ、製造、組立コストを抑制することができる。
【００２５】
本請求項３に記載の構成によれば、第１インナーリンクプレート、第２インナーリンクプレートおよび中間リンクプレートが、スプロケットに噛み合う歯を有することにより、製造、組立コストを抑制し、連結ピンやガイドリンクプレートの繰り返しの変形による摩耗伸びや発熱、騒音を抑制し、耐久性を向上するとともに、特定のプレートに張力が集中せず、チェーン全体の張力に対する強度を向上したサイレントチェーンとすることができる。
【００２６】
本請求項４に記載の構成によれば、ガイドリンクプレートが、スプロケットに噛み合う歯を有することにより、ガイドリンク列および非ガイドリンク列のリンクプレートの幅方向枚数が少ない場合や、背面側でもスプロケットに噛み合う用途においても、特定のプレートに張力が集中せず、チェーン全体の張力に対する強度を向上したサイレントチェーンとすることができる。
【図面の簡単な説明】
【００２７】
【図１】本発明の第１実施例であるチェーンの斜視図。
【図２】本発明の第１実施例であるチェーンの平面説明図。
【図３】本発明の第２実施例であるチェーンの平面説明図。
【図４】本発明の第３実施例であるチェーンの平面説明図。
【図５】従来のチェーンの平面説明図。
【図６】従来のチェーンの張力がかかった状態の平面説明図。
【発明を実施するための形態】
【００２８】
本発明は、それぞれ幅方向の最外側に配置される１対のガイドリンクプレートと、１対のガイドリンクプレートの幅方向の内側に配置される少なくとも１つのインナーリンクプレートを備え、ガイドリンクプレートおよびインナーリンクプレートが前後１対の第１ピン孔および第２ピン孔を有し、ガイドリンクプレートおよびインナーリンクプレートの第１ピン孔と第２ピン孔にそれぞれ連結ピンが挿通されることにより交互に連結編成されたチェーンであって、ガイドリンクプレートおよびインナーリンクプレートのそれぞれの第１ピン孔が、連結ピンと密に嵌合し、ガイドリンクプレートおよびインナーリンクプレートのそれぞれの第２ピン孔が、連結ピンと遊嵌するように構成され、幅方向の一方の最外側に配置される第１ガイドリンクプレートが、前後方向に同一位置に配置された第１インナーリンクプレートとともに第１リンク列を形成し、幅方向の他方の最外側に配置される第２ガイドリンクプレートが、前後方向に同一位置に配置された第２インナーリンクプレートとともに第２リンク列を形成し、第１リンク列と第２リンク列の各リンクプレートが、連結ピンが挿通されることにより交互に連結編成され、製造、組立コストを抑制し、幅方向の総枚数が少ないチェーンを構成することが可能であり、連結ピンやガイドリンクプレートの繰り返しの変形による摩耗伸びや発熱、騒音を抑制し、耐久性を向上するとともに、特定のプレートに張力が集中せず、チェーン全体の張力に対する強度を向上するという効果を奏するものであれば、その具体的な実施態様は如何なるものであっても何ら構わない。
【実施例１】
【００２９】
以下に、本発明の実施例であるチェーンについて、図面に基づいて説明する。
本発明の第１実施例であるチェーン１００は、図１、図２に示すように、幅方向の一方の最外側に配置される第１ガイドリンクプレート１１０ａと、その幅方向の内側に配置される第１インナーリンクプレート１３０ａとからなる第１リンク列１０１と、幅方向の他方の最外側に配置される第２ガイドリンクプレート１１０ｂと、その幅方向の内側に配置される第２インナーリンクプレート１３０ｂとからなる第２リンク列１０２とを備え、連結ピン１４０が挿通されることにより第１リンク列１０１と第２リンク列１０２が交互に連結編成されて構成される。
【００３０】
各ガイドリンクプレート１１０ａ１１０ｂおよび各インナーリンクプレート１３０ａ、１３０ｂには、それぞれ前後１対の第１ピン孔１１１、１３１および第２ピン孔１１２、１３２が設けられている。
【００３１】
第１リンク列１０１の第１ガイドリンクプレート１１０ａおよび第１インナーリンクプレート１３０ａの第１ピン孔１１１、１３１と第２リンク列１０２の第２ガイドリンクプレート１１０ｂおよび第２インナーリンクプレート１３０ｂの第２ピン孔１１２、１３２、および、第１リンク列１０１の第１ガイドリンクプレート１１０ａおよび第１インナーリンクプレート１３０ａの第２ピン孔１１２、１３２と第２リンク列１０２の第２ガイドリンクプレート１１０ｂおよび第２インナーリンクプレート１３０ｂの第１ピン孔１１１、１３１に、それぞれ連結ピン１４０が挿通されることにより交互に連結編成されて、チェーン１００が構成されている。
【００３２】
それぞれの連結ピン１４０は、各ガイドリンクプレート１１０ａ、１１０ｂおよび各インナーリンクプレート１３０ａ、１３０ｂの図示左側の第１ピン孔１１１、１３１に密に嵌合しており、各ガイドリンクプレート１１０ａ、１１０ｂおよび各インナーリンクプレート１３０ａ、１３０ｂの図示右側の第２ピン孔１１２、１３２には所定の隙間を有して遊嵌されている。
【００３３】
以上の構成の本発明の第１実施例であるチェーン１００によれば、張力がかかった際に各ガイドリンクプレート１１０ａ、１１０ｂが反ることがなく、ガイドリンクプレート１１０の繰り返しの変形による摩耗伸びや発熱、騒音を抑制し、耐久性を向上することができる。
【００３４】
また、連結ピン１４０と各ガイドリンクプレート１１０ａ、１１０ｂおよび各インナーリンクプレート１３０ａ、１３０ｂのピン孔の関係が、張力方向においてすべて同一条件で第１ピン孔１１１、１３１が密に嵌合し、第２ピン孔１１２、１３２が遊嵌するように構成されているため、幅方向に均等に力が分散されて連結ピン１４０の湾曲が抑制され、繰り返しの変形による摩耗伸びや発熱、騒音を抑制し、耐久性を向上することができるとともに、連結ピン１４０の湾曲が抑制されることで、特定のリンクプレートに張力が集中せず、チェーン１００全体の張力に対する強度を向上することができる。
【００３５】
また、図１、図２に示す第１実施例では、各インナーリンクプレート１３０ａ、１３０ｂを幅方向に１枚ずつであり、幅が小さく幅方向の総枚数が少ないチェーンであっても、第１リンク列１０１、第２リンク列１０２で幅方向対称の同一枚数で構成されるため、張力に対する強度のアンバランスが生じることがない。
【００３６】
また、各ガイドリンクプレート１１０ａ、１１０ｂと、各インナーリンクプレート１３０ａ、１３０ｂは、図２では、説明を容易とするため比較的大きな間隔を開けて図示しているが、例えば、インナーリンクプレート１３０ａ、１３０ｂをスプロケットに噛み合う歯を有するものとしてサイレントチェーンを構成する場合等は、当該間隔は、図１に示すように、摺動して屈曲可能な最低限の間隔が確保されていれば良い。
また、第１リンク列１０１のインナーリンクプレート１３０ａと第２リンク列１０２のインナーリンクプレート１３０ｂの幅方向の間隔を広げて、連結ピン１４０にスプロケットの歯が噛み合うように構成しても良い。
【実施例２】
【００３７】
本発明の第２実施例であるチェーン２００は、図３に示すように、第１実施例のチェーン１００と比較して、第１リンク列２０１、第２リンク列２０２に、それぞれインナーリンクプレート２３０ａ、２３０ｂの枚数を増やしたものであり、他の構成は同様である。
【００３８】
この、本発明の第２実施例であるチェーン２００によれば、幅が大きく幅方向の総枚数が多いチェーンであっても、連結ピン２４０と各ガイドリンクプレート２１０ａ、２１０ｂおよび各インナーリンクプレート２３０ａ、２３０ｂのピン孔の関係が、張力方向においてすべて同一条件で第１ピン孔２１１、２３１が密に嵌合し、第２ピン孔２１２、２３２が遊嵌するように構成されているため、幅方向に均等に力が分散されて連結ピン２４０の湾曲が抑制され、繰り返しの変形による摩耗伸びや発熱、騒音を抑制し、耐久性を向上することができるとともに、連結ピン２４０の湾曲が抑制されることで、特定のリンクプレートに張力が集中せず、チェーン２００全体の張力に対する強度を向上することができる。
【実施例３】
【００３９】
本発明の第３実施例であるチェーン３００は、図４に示すように、第１実施例のチェーン１００と比較して、第１リンク列３０１、第２リンク列３０２の各ガイドリンクプレート３１０ａ、３１０ｂと各インナーリンクプレート３３０ａ、３３０ｂの幅方向中間に、それぞれ中間リンクプレート３２０を追加したものであり、他の構成は同様である。
【００４０】
第１リンク列３０１、第２リンク列３０２に配置された中間リンクプレート３２０は、前後１対の第１ピン孔３２１および第２ピン孔３２２ともに、連結ピン３４０と遊嵌するように構成されている。
【００４１】
この本発明の第３実施例であるチェーン３００によれば、幅が大きく幅方向の総枚数が多いチェーンであっても、中間リンクプレート３２０の第１ピン孔３２１と第２ピン孔３２２の両方が所定の隙間を有して遊嵌されるため、連結ピン３４０と密に嵌合すべきピン孔を減らすことができ、製造、組立コストを抑制することができる。
【００４２】
なお、図４に示す第３実施例では、各インナーリンクプレート３３０ａ、３３０ｂおよび中間リンクプレート３２０を第１リンク列３０１、第２リンク列３０２ともに１枚ずつとしたが、必要とするチェーンの幅に応じて、それぞれ複数枚としても良い。
また、各インナーリンクプレート３３０ａ、３３０ｂと中間リンクプレート３２０の幅方向の枚数はいかなるものでもよく、その配置順も側方に抜け落ちない配置であれば、交互でなくても良い。
図示のように、各インナーリンクプレート３３０ａ、３３０ｂと中間リンクプレート３２０を幅方向で交互に配置することで、各インナーリンクプレート３３０ａ、３３０ｂと中間リンクプレート３２０に均等に張力が分散され、連結ピン３４０の湾曲がさらに抑制される。
【００４３】
なお、図３、図４で示す第２実施例、第３実施例では、各ガイドリンクプレート２１０、３１０、各インナーリンクプレート２３０、３３０および中間リンクプレート３２０の相互の幅方向の間隔を、説明を容易とするため比較的大きな間隔を開けて図示しているが、第１実施例と同様に、例えば、各インナーリンクプレート２３０、３３０および中間リンクプレート３２０をスプロケットに噛み合う歯を有するものとしてサイレントチェーンを構成する場合等は、当該間隔は、摺動して屈曲可能な最低限の間隔が確保されていれば良い。
また、さらに多くの枚数のインナーリンクプレート２３０、３３０および中間リンクプレート３２０を配置してもよく、いずれかの幅方向の間隔を広げて、連結ピン２４０、３４０にスプロケットの歯が噛み合うように構成しても良い。
【００４４】
以上説明したように、本発明によれば、製造、組立コストを抑制し、幅方向の総枚数が少ないチェーンを構成することが可能であり、連結ピンやガイドリンクプレートの繰り返しの変形による摩耗伸びや発熱、騒音を抑制し、耐久性を向上するとともに、特定のプレートに張力が集中せず、チェーン全体の張力に対する強度を向上するなど、その効果は甚大である。
【００４５】
なお、上記各実施例では、ガイドリンクプレート１１０、２１０、３１０、中間リンクプレート３２０、インナーリンクプレート１３０、２３０、３３０の側面視の形状については、図１に図示する実施例以外は特定していないが、小判型、ひょうたん型等、いかなる形状でもよく、下側端面、上側端面あるいは上下両端面にスプロケットに噛み合う歯を有するもの等、それぞれ、チェーンのリンクプレートとしての機能を発揮できるものであればいかなる形状であっても良い。
【符号の説明】
【００４６】
１００、２００、３００、５００  ・・・チェーン
１０１、２０１、３０１          ・・・第１リンク列
５０１  ・・・ガイドリンク列
１０２、２０２、３０２          ・・・第２リンク列
５０２  ・・・非ガイドリンク列
１１０、２１０、３１０、５１０  ・・・ガイドリンクプレート
１１１、２１１、３１１、５１１  ・・・第１ピン孔
１１２、２１２、３１２、５１２  ・・・第２ピン孔
３２０、５２０  ・・・中間リンクプレート
３２１、５２１  ・・・第１ピン孔
３２２、５２２  ・・・第２ピン孔
１３０、２３０、３３０、５３０  ・・・インナーリンクプレート
１３１、２３１、３３１、５３１  ・・・第１ピン孔
１３２、２３２、３３２、５３２  ・・・第２ピン孔
１４０、２４０、３４０、５４０  ・・・連結ピン
【図１】
0005483359.tif 000002
【図２】
0005483359.tif 000003
【図３】
0005483359.tif 000004
【図４】
0005483359.tif 000005
【図５】
0005483359.tif 000006
【図６】
0005483359.tif 000007